(57)【要約】　　　（修正有）【課題】ルーバの取り付け位置がモータの配置に限定されない互換性を有する空気調和機の室内機を提供する。【解決手段】被空調室の天井裏に固定された室内機本体下面に取り付けられる化粧パネル１００のほぼ中央に形成された吸込口１１０と、上記吸込口１１０周辺部の第１〜第４の吹出口１２１〜１２４と、上記各吹出口１２１〜１２４に回動可能に配置され、両端部にそれぞれ軸部材１５１ｂ〜１５４ｂ、１５１ｃ〜１５４ｃを備えた第１〜第４ルーバ１５１〜１５４と、上記化粧パネル１００の隅部に設けられ、ルーバを回動させる駆動軸１７０ａを備えたモータ１７０と、上記化粧パネル１００の隅部に設けられ、上記軸部材１５１ｂ〜１５４ｂ、１５１ｃ〜１５４ｃの外周部を回動自在に支持する軸受部１６３とを具備し、上記軸部材には、上記駆動軸１７０ａが挿入されて係合する穴部１５１ｄ〜１５４ｄ、１５１ｅ〜１５４ｅが形成されている。【選択図】　　図７
2004077016.tif 000002
【特許請求の範囲】
【請求項１】
下面に開口部を有し、被空調室の天井裏に取り付け固定される室内機本体と、
この室内機本体の下面開口部を閉成し、被空調室に露出するよう取り付けられる矩形状の化粧パネルと、
この化粧パネルのほぼ中央部に形成された吸込口と、
上記吸込口周辺部に上記化粧パネルの各辺に沿って形成された４つの吹出口と、
上記各吹出口に回動可能に配置され、両端部にそれぞれ軸部材を備えた同一形状からなる４枚のルーバと、
上記化粧パネルの隅部に設けられ、少なくとも１つ以上のルーバをその軸心線回りに回動させる駆動軸を備えたモータと、
上記化粧パネルの隅部に設けられ、上記軸部材の外周部を回動自在に支持する軸受部とを具備し、
上記ルーバの上記モータ側に位置する軸部材には、上記駆動軸が挿入されて係合する穴部が形成されていることを特徴とする空気調和機の室内機。
【請求項２】
下面に開口部を有し、被空調室の天井裏に取り付け固定される室内機本体と、
この室内機本体の下面開口部を閉成し、被空調室に露出するよう取り付けられる矩形状の化粧パネルと、
この化粧パネルのほぼ中央部に形成された吸込口と、
上記吸込口周辺部に上記化粧パネルの各辺に沿って形成された４つの吹出口と、
上記各吹出口に回動自在に配置され、両端部にそれぞれ軸部材を備えた４枚のルーバと、
上記化粧パネルに設けられ、少なくとも１つ以上のルーバをその軸心線回りに回動させる駆動軸を備えたモータと、
上記化粧パネルに設けられ、上記ルーバの各軸部材をそれぞれ軸心線回りに回動可能に支持する軸受部とを具備し、
上記各軸部材は、
外周部が上記軸受部と係合可能な突出部と、
上記駆動軸と係合可能な穴部とを備えることを特徴とする空気調和機の室内機。
【請求項３】
下面に開口部を有し、内部に熱交換器を備えるとともに、被空調室の天井裏に取り付け固定された室内機本体と、
この室内機本体の下面開口部を閉成し、被空調室に露出するよう取り付けられる化粧パネルと、
この化粧パネルに形成され、室内空気を吸い込む吸込口と、
上記吸込口周辺部に形成され、上記熱交換器により熱交換された空気を吹き出す吹出口と、
上記吹出口に回動自在に設けられ、熱交換空気の向きを変更させる表面にシボ加工が施された板状のルーバとを具備することを特徴とする空気調和機の室内機。
【請求項４】
下面に開口部を有し、内部に熱交換器を備えるとともに、被空調室の天井裏に取り付け固定された室内機本体と、
この室内機本体の下面開口部を閉成し、被空調室に露出するよう取り付けられた化粧パネルと、
この化粧パネルに形成され、室内空気を吸い込む吸込口と、
上記吸込口周辺部に形成され、上記熱交換器により熱交換された空気を吹き出す吹出口と、
上記吹出口に回動自在に設けられ、その表面によって熱交換空気の向きを規制し、変更させるルーバとを具備し、
上記ルーバは、熱交換空気の上流側縁端にその回動軸方向に沿って設けられ、上記表面側に突出した気流調整突起部を備えていることを特徴とする空気調和機の室内機。
【発明の詳細な説明】
【０００１】
【発明の属する技術分野】
この発明は、被空調室の天井に取り付けられる天井埋込型の空気調和機の室内機に係り、特に化粧パネルの四辺に設けられた吹出口に回動自在に軸支されるルーバの構造に関する。
【０００２】
【従来の技術】
空気調和機として、被空調室の壁面に取り付けられる、いわゆる壁掛け形のような存在感がなく、居住者が受ける圧迫感が希薄であるところから、天井埋込型の室内機を有する空気調和機が多用される傾向にある。
【０００３】
この種の空気調和機は、室内機本体の下面に取り付けられ、熱交換空気を吹き出し案内する吹出口と、室内空気を吸い込み案内する吸込口を備えた化粧パネルが室内に露出している。上記吸込口は化粧パネルのほぼ中央部に開口し、吹出口は吸込口の両側もしくは周辺部に分散して開口する。
【０００４】
上記吸込口と対向する本体内に、室内空気に含まれる塵埃を濾過するフィルタが取り付けられる。吸込口には室内空気の流通を許容し、かつ、吸込口から内部の遮蔽をなす吸い込みグリルが嵌め込まれる。
【０００５】
各吹出口には、それぞれ長板状のルーバが回動自在に配置されており、これら４枚のルーバを回動させることで、被空調室に吹き出される熱交換空気の向きを変更できるようになっている。
【０００６】
上記ルーバを回動させる方式としては、４枚のルーバ間を連結部材で連結し、一番端に連結されたルーバをモータにより直接駆動することで、残りの３つのルーバを連動させる方式（以下第１の方式）がある。
【０００７】
また、別の方式としては、４枚のルーバを２枚ずつのペアにするとともに、ペア間をそれぞれ連結手段で連結し、各ペアの一方のルーバを１つのモータにより同時に駆動することで、残り２つのルーバをそれぞれ連動させる方式（以下第２の方式）がある。この第２の方式を用いる場合、モータによって直接駆動されるルーバには、連結部材のルーバが取り付けられる部分と同じ構成からなる支持部材がそれぞれ取り付けられ、上記モータはこれら支持部材を介してルーバを駆動するようになっている。なお、上記モータには、２枚のルーバを同時かつ同方向に駆動するために、ギアなどを備えた駆動機構が設けられている。
【０００８】
【発明が解決しようとする課題】
しかしながら、上述した空気調和機の室内機には次のような問題があった。
【０００９】
すなわち、第１の駆動方式を用いてルーバを駆動する場合、モータにより駆動されるルーバの一端部に、駆動軸が挿入される挿入穴が形成されるため、このルーバの上記一端部は他のルーバの端部と異なる形状となり、ルーバに互換性をもたすことができないという問題があった。
【００１０】
一方、上記第２の駆動方式を用いてルーバを駆動する場合には、４枚のルーバをすべて同一形状にすることができるが、上記ギアを駆動するために大きなトルクを有するモータが必要になるとともに、ギア周辺部の機構が複雑になるという問題があった。
【００１１】
また、結露によって熱交換器から発生した露が、ルーバ表面に付着し、ルーバをつたって室内に滴下するという問題があった。
【００１２】
さらに、吹き出された熱交換空気や、吸込口に誘引された室内空気中の塵埃が、吹出口付近の壁や天井などに付着して汚れる、いわゆるスマッジングが生じるという問題があった。
【００１３】
本発明の第１の目的は、ルーバの取り付け位置がモータの配置によって制限されない空気調和機の室内機を提供することにある。
【００１４】
また、本発明の第２の目的は、モータの回転力を効率よくルーバに伝達できる空気調和機の室内機を提供することにある。
【００１５】
さらに、本発明の第３の目的は、結露によってルーバ表面に付着した露が、ルーバをつたって室内に滴下するのを抑制できる空気調和機の室内機を提供することにある。
【００１６】
さらに、本発明の第４の目的は、スマッジングを抑制できる空気調和機の室内機を提供することにある。
【００１７】
【課題を解決するための手段】
請求項１記載の発明は、下面に開口部を有し、被空調室の天井裏に取り付け固定される室内機本体と、この室内機本体の下面開口部を閉成し、被空調室に露出するよう取り付けられる矩形状の化粧パネルと、この化粧パネルのほぼ中央部に形成された吸込口と、上記吸込口周辺部に上記化粧パネルの各辺に沿って形成された４つの吹出口と、上記各吹出口に回動可能に配置され、両端部にそれぞれ軸部材を備えた同一形状からなる４枚のルーバと、上記化粧パネルの隅部に設けられ、少なくとも１つ以上のルーバをその軸心線回りに回動させる駆動軸を備えたモータと、上記化粧パネルの隅部に設けられ、上記軸部材の外周部を回動自在に支持する軸受部とを具備し、上記ルーバの上記モータ側に位置する軸部材には、上記駆動軸が挿入されて係合する穴部が形成されていることを特徴とする空気調和機の室内機にある。
【００１８】
請求項２記載の発明は、下面に開口部を有し、被空調室の天井裏に取り付け固定される室内機本体と、この室内機本体の下面開口部を閉成し、被空調室に露出するよう取り付けられる矩形状の化粧パネルと、この化粧パネルのほぼ中央部に形成された吸込口と、上記吸込口周辺部に上記化粧パネルの各辺に沿って形成された４つの吹出口と、上記各吹出口に回動自在に配置され、両端部にそれぞれ軸部材を備えた４枚のルーバと、上記化粧パネルに設けられ、少なくとも１つ以上のルーバをその軸心線回りに回動させる駆動軸を備えたモータと、上記化粧パネルに設けられ、上記ルーバの各軸部材をそれぞれ軸心線回りに回動可能に支持する軸受部とを具備し、上記各軸部材は、外周部が上記軸受部と係合可能な突出部と、上記駆動軸と係合可能な穴部とを備えることを特徴とする空気調和機の室内機にある。
【００１９】
請求項３記載の発明は、下面に開口部を有し、内部に熱交換器を備えるとともに、被空調室の天井裏に取り付け固定された室内機本体と、この室内機本体の下面開口部を閉成し、被空調室に露出するよう取り付けられる化粧パネルと、この化粧パネルに形成され、室内空気を吸い込む吸込口と、上記吸込口周辺部に形成され、上記熱交換器により熱交換された空気を吹き出す吹出口と、上記吹出口に回動自在に設けられ、熱交換空気の向きを変更させる表面にシボ加工が施された板状のルーバとを具備することを特徴とする空気調和機の室内機にある。
【００２０】
請求項４記載の発明は、下面に開口部を有し、内部に熱交換器を備えるとともに、被空調室の天井裏に取り付け固定された室内機本体と、この室内機本体の下面開口部を閉成し、被空調室に露出するよう取り付けられた化粧パネルと、この化粧パネルに形成され、室内空気を吸い込む吸込口と、上記吸込口周辺部に形成され、上記熱交換器により熱交換された空気を吹き出す吹出口と、上記吹出口に回動自在に設けられ、その表面によって熱交換空気の向きを規制し、変更させるルーバとを具備し、上記ルーバは、熱交換空気の上流側縁端にその回動軸方向に沿って設けられ、上記表面側に突出した気流調整突起部を備えていることを特徴とする空気調和機の室内機にある。
【００２１】
この発明によれば、モータの配置に限定されることなく、任意の吹出口に各ルーバを取り付けることができる。
【００２２】
また、モータの回転力を効率よくルーバに伝達することができる。
【００２３】
さらに、結露によってルーバ表面に付着した露が室内に滴下するのを抑制することができる。
【００２４】
さらに、吹出口付近の壁や天井などに塵埃が付着するのを抑制することができる。
【００２５】
【発明の実施の形態】
図１は本発明の第１の実施の形態に係る天井埋込型の空気調和機の室内機１０を下面側から示す斜視図、図２は同室内機１０を室内機本体２０と化粧パネル１００とに分離して示す斜視図、図３は同室内機本体２０を分解して示す斜視図、図４は同室内機本体２０を示す縦断面図、図５は同化粧パネルを示す縦断面図、図６は同化粧パネルを分解して示す斜視図、図７は同化粧パネルに組み込まれたルーバ間の接続状態を示す平面図、図８は同化粧パネルに組み込まれた連結機構とルーバの要部を拡大して示す斜視図、図９は同モータとルーバの要部を拡大して示す斜視図である。
【００２６】
図１に示すように、室内機１０は、被空調室の天井板に設けられた取り付け用開口部に室内側から挿入されて吊りボルト等を介して、いわゆる天井裏に吊持固定される室内機本体２０と、この室内機本体２０の室内側に露出して取り付けられる化粧パネル１００とを備えている。
【００２７】
図２に示すように、室内機本体２０は、下面開口部２１ａ全てが開口し、上面部と側面部が板面からなるハウジング２１を備えている。このハウジング２１の内周面には断熱材２２が貼着され、断熱構造をなしている。
【００２８】
ハウジング２１内部には、その中央部に送風機２３が配置され、送風機２３を囲むようにして平面視でＬ字状に形成された一対の熱交換器部２４ａ，２４ｂからなる室内熱交換器２４が収容されている。なお、平面視で四角枠状に形成された室内熱交換器を用いる場合もある。
【００２９】
ハウジング２１の下面開口部２１ａは、化粧パネル１００によって閉成されている。この化粧パネル１００は室内に露出し、ハウジング２１周面と天井板の取り付け用開口部との隙間を遮蔽する。
【００３０】
図４に示すように、送風機２３は、ハウジング２１の上面部に適宜な手段で取り付け固定されるファンモータ２３ａと、このファンモータ２３ａの回転軸に取り付けられるファン２３ｂとからなる。この送風機２３は、ファン２３ｂの回転に伴い回転軸方向から空気を吸い込んで周方向に吹出す送風作用をなす。
【００３１】
室内熱交換器２４を構成する熱交換器部２４ａ，２４ｂは、送風機２３の吹き出し方向に位置している。各熱交換器部２４ａ，２４ｂの下端部はハウジング２１下部に設けられる平面視で四角枠状のドレンパン２５内に挿入され、各熱交換器部２４ａ，２４ｂで生成されるドレン水を受けるようになっている。
【００３２】
図２と図４に示すように、化粧パネル１００の後述する吸込口１１０と送風機ファン２３ｂとの間にはベルマウス２６が設けられ、その周囲はドレンパン２５に囲まれている。ベルマウス２６は、送風機ファン２３ｂ側が小径で、かつ、吸込口１１０側が大径のテーパ状に形成されている。
【００３３】
図２に示すように、化粧パネル１００は、その中央大部分の面積を占める矩形状の吸込口１１０が開口されていて、この吸込口１１０はドレンパン２５の内側面とほぼ対向して設けられる。
【００３４】
化粧パネル１００の吸込口１１０には、吸込グリル１１１が着脱自在に取り付けられている。吸込グリル１１１は、吸込口１１０における室内空気の流通を可能としながら、吸込口１１０からハウジング２１内部に対する遮蔽をなしている。さらに、吸込口１１０の周辺部には化粧パネル１００の各辺に沿って第１〜第４の吹出口１２１〜１２４が設けられている。すなわち、第１〜第４の吹出口１２１〜１２４は幅方向に対して長手方向が極端に細長い矩形状をなし、４ヶ所設けられることになる。
【００３５】
各吹出口１２１〜１２４は、ドレンパン２５の外側面とハウジング２１の側面部に取り付けられる断熱材２２との間の間隙に対向位置していて、それ自体が外方へ曲成される。
【００３６】
これら吹出口１２１〜１２４には、それぞれ同じ構成からなる第１〜第４ルーバ１５１〜１５４が回動自在に配置され、室内熱交換器２４により熱交換された空気を化粧パネル１００周辺の広い範囲に吹き出し案内するようになっている。
【００３７】
図６と図７に示すように、これらルーバ１５１〜１５４は、それぞれ軸方向と交差する方向に対する可撓性を備えた長板状の翼部１５１ａ〜１５４ａを有している。翼部１５１ａ〜１５４ａの軸方向両端部には、円柱周面のほぼ１８０度ずれた部分をそれぞれ切り欠いて形成された断面ほぼ楕円状の外周形状を有する突出部としての軸部材１５１ｂ〜１５４ｂ、１５１ｃ〜１５４ｃがそれぞれ設けられ、各軸部材１５１ｂ〜１５４ｂ、１５１ｃ〜１５４ｃには、それぞれ上記軸部材の外周形状と対応するほぼ楕円状の内周面形状を有する、穴部としての駆動軸挿入穴１５１ｄ〜１５４ｄ、１５１ｅ〜１５４ｅが軸線方向に沿って形成されている。
【００３８】
図５に示すように、翼部１５１ａ〜１５４ａの熱交換空気を直接受ける表面１５５（図５中上面側）には、熱交換空気の上流側端部に位置して気流調整突起部としてのリブ１５６が軸方向ほぼ全体にわたって設けられ、さらに、ほぼ全体にわたってシボ加工が施されている。シボ加工とは、部材表面に細かい凹凸を設ける加工であり、このように凹凸を設けることで保水性を向上させ、翼部表面１５５に付着した露が被空調室内に滴下、浸入し難くしている。
【００３９】
図６に示すように、化粧パネル１００の第１隅部１０１には、駆動軸１７０ａを備えた一対の同一のモータ１７０が配置されている。駆動軸１７０ａは、図９に示すように、断面形状が上記駆動軸挿入穴１５１ｄ〜１５４ｄ、１５１ｅ〜１５４ｅの内周面形状と対応しており、図７に示すように、その軸線はそれぞれ第１ルーバ１５１、第２ルーバ１５２の軸方向に沿って向けられている。
【００４０】
これらモータ１７０の駆動軸１７０ａは、それぞれ第１、第２ルーバ１５１、１５２の軸部材１５１ｂ、１５２ｂに形成された駆動軸挿入穴１５１ｄ、１５２ｄに嵌入され、第１、第２ルーバ１５１、１５２を回動駆動できるようになっている。
【００４１】
また、図６に示すように、第１隅部１０１と隣接する、化粧パネル１００の第２、第３隅部１０２、１０３には、それぞれ連結手段としての連結機構１５８が配置されている。図８に示すように、これら連結機構１５８は、化粧パネル１００の裏面１００ａ側に設けられたＵ字状支持部１５９ａ、１５９ｂ（図６にのみ図示）に回動自在にそれぞれ支持された一対の接続リンク１６０と、これら接続リンク１６０の間を連結する連結リンク１６１とを備えている。
【００４２】
接続リンク１６０は、一端部にそれぞれ軸受部１６３を備え、他端部はユニバーサルジョイント１６２によって連結リンク１６１の両端部に接続されている。軸受部１６３の軸受け面は、各ルーバ１５１〜１５４の軸部材１５１ｂ〜１５４ｃ、１５１ｂ〜１５４ｃの外周形状と同じ形状を有している。
【００４３】
また、化粧パネル１００の第４隅部１０４には、上記接続リンク１６０と同じ構成からなる一対の支持リンク１６５が配置されている。これら支持リンク１６５は、それぞれ化粧パネル１００の裏面１００ａ側に設けられたＵ字状支持部１６４ａ、１６４ｂに回動自在にそれぞれ支持されており、各軸線はそれぞれ第３、第４ルーバ１５３、１５４の軸心線方向に沿って向けられている。
【００４４】
図６に示すように、第１ルーバ１５１の軸方向と第３ルーバ１５３の軸方向、及び第２ルーバ１５２の軸方向と第４ルーバ１５４の軸方向は、それぞれ連結機構１５８によってほぼ直交を保って連結される。なお、第１ルーバ１５１と第３ルーバ１５３、及び第２ルーバ１５２と第４ルーバ１５４とは、同様の連結がなされるため、以下、第１、第３ルーバ１５１、１５３間の連結についてのみ説明する。
【００４５】
図７と図８に示すように、接続リンク１６０の軸受部１６３には、第１、第３ルーバ１５１、１５３の軸部材１５１ｃ、１５３ｃがそれぞれ嵌入され、支持リンク１６５の軸受部１６３には、第３ルーバ１５３の軸部材１５３ｂが嵌入されている。それによって、第１ルーバ１５１の回動運動を連結機構１５８を介して第３ルーバ１５３に伝達できるから、第１ルーバ１５１と第３ルーバ１５３とを、第１ルーバ１５１に接続された１つのモータ１７０によって連係して駆動できるようになっている。同様に、第２ルーバ１５１と第４ルーバ１５４とを、第２ルーバ１５２に接続された１つのモータ１７０によって、連係して駆動できるようになっている。
【００４６】
このように構成された空気調和機の室内機１０においては、送風機２３が駆動されることにより、室内側から被空調空気が吸引され、熱交換器２４において熱交換がなされた後、吹出口１２１〜１２４から室内側に吹き出される。
【００４７】
このとき、全てのルーバ１５１〜１５４は同一方向に動作する。具体的には第１ルーバ１５１が内側から外側へ向きを変える際に、他の第２〜第４ルーバ１５２〜１５４も内側から外側へ向きを変える。逆も同様である。
【００４８】
また、第１ルーバ１５１と第３ルーバ１５３、及び第２ルーバ１５２と第４ルーバ１５４は、連結機構１５８を介して連係動作が行われる。
【００４９】
上述したように本実施の形態に係る空気調和機の室内機１０によれば、ルーバ１５１〜１５４の両端部に設けられた軸部材１５１ｂ〜１５４ｂ、１５１ｃ〜１５４ｃに、それぞれ駆動軸挿入穴１５１ｄ〜１５４ｄ、１５１ｅ〜１５４ｅを形成した。そのため、モータ１７０の配置によって各ルーバ１５１〜１５４の取り付け方向が制限されないから、各ルーバ１５１〜１５４を任意の吹出口１２１〜１２４に取り付けることができる。
【００５０】
また、駆動軸１７０ａを駆動軸挿入穴１５１ｄ〜１５４ｄに差し込むことによって、これらの間を接続するようにした。そのため、駆動軸１７０ａと軸部材１５１ｂ〜１５４ｂ、１５１ｃ〜１５４ｃとの間に介在する部材が不要となるから、トルクが小さいモータでもルーバ１５１〜１５４を駆動することができる。
【００５１】
また、軸部材１５１ｂ〜１５４ｂ、１５１ｃ〜１５４ｃをその外周部を介して連結機構１５８の軸受部１６３に接続させるようにした。そのため、軸部材１５１ｂ〜１５４ｂ、１５１ｃ〜１５４ｃと軸受部１６３との接触面積が大きくなるから、第１、第２ルーバ１５１、１５２の回転力を確実に第３、第４ルーバ１５３、１５４に伝達できる。
【００５２】
また、ルーバ１５１〜１５４の表面１５５にほぼ全体にわたってシボ加工を施した。そのため、ルーバ表面１５５の保水性が向上するから、結露によってルーバ表面に付着した露が、ルーバをつたって室内に落下するのを抑制することができる。
【００５３】
さらに、ルーバ１５１〜１５４の熱交換空気の上流側にルーバ表面１５５側に突出するリブ１５６を設けた。そのため、吹き出される熱交換空気の方向が調整されるから、スマッジングの発生を抑制することができる。
【００５４】
図１０は、この発明の第２の実施の形態に係る第５〜第８ルーバ２０５〜２０８の配置図である。同図に示すように、化粧パネル１００の第１〜第４の吹出口１２１〜１２４には、それぞれ同じ構成からなる第５〜第８ルーバ２０５〜２０８が回動自在に配置されており、図示しない熱交換器によって熱交換された空気を化粧パネル１００周辺の広い範囲に吹き出し案内できるようになっている。
【００５５】
図１１に示すように、これらルーバ２０５〜２０８は、それぞれ長板状の翼部２０５ａ〜２０８ａを備えている。各翼部２０５ａ〜２０８ａの軸方向両端部には、ほぼ楕円状の外周形状を有する突出部としての軸部材２０５ｂ〜２０８ｂ、２０５ｃ〜２０８ｃがそれぞれ設けられ、一方の軸部材２０５ｂ〜２０８ｂには、ほぼ楕円状の内周面形状を有する穴部としての駆動軸挿入穴２０５ｄ〜２０８ｄが軸線方向に沿って形成されている。
【００５６】
図１０に示すように、化粧パネル１００の第１隅部１０１、及びこの第１隅部１０１と対向する第４隅部１０４には、それぞれ駆動軸１７０ａを備えたモータ１７０が配置され、各駆動軸１７０ａの軸線はそれぞれ第５ルーバ２０５、第７ルーバ２０７の軸心線方向に沿って向けられている。
【００５７】
これらモータ１７０の駆動軸１７０ａは、それぞれ第５、第７ルーバ２０５、２０７の軸部材２０５ｂ、２０７ｂに形成された駆動軸挿入穴２０５ｄ、２０７ｄに嵌入されている。また、第１隅部１０１と隣接する、化粧パネル１００の第２、第３隅部１０２、１０３には、それぞれ連結手段としての上記連結機構１５８が配置されている。なお、この連結機構１５８は上記第１の実施の形態で用いられた連結機構１５８と同様の構成のものである。
【００５８】
第５ルーバ２０５の軸方向と第６ルーバ２０６の軸方向、及び第７ルーバ２０７の軸方向と第８ルーバ２０８の軸方向は、それぞれ連結機構１５８によってほぼ直交を保って連結されている。
【００５９】
なお、この変形例では、第５ルーバ２０５と第６ルーバ２０６、及び第７ルーバ２０７と第８ルーバ２０８との間の接続は、上記第１の実施の形態における第１ルーバ１５１と第３ルーバ１５３との連結と同じであるため、ここでは説明を省略する。
【００６０】
上記第２の実施の形態によれば、化粧パネル１００の互いに対向する第１隅部１０１と第４隅部１０４にそれぞれ配置されたモータ１７０によって、第５ルーバ２０５及び第７ルーバ２０７の対応する軸部材２０５ｂ、２０７ｂをそれぞれ駆動するようにした。そのため、第１の吹出口１２１、或いは第３の吹出口１２３にいづれのルーバ２０５〜２０８を配置しても、ルーバ２０５〜２０８の同一端側、すなわち一方の軸部材２０５ｂ〜２０８ｂ側には必ずモータ１７０が位置することになるから、第５〜第８ルーバ２０５〜２０８を任意の吹出口１２１〜１２４に取り付けることができる。
【００６１】
また、駆動軸１７０ａを駆動軸挿入穴２０５ｄ〜２０７ｄに差し込むことによって、これらを接続するようにした。そのため、駆動軸１７０ａと軸部材２０５ｂ、２０７ｂとの間に介在する部材が不要となるから、トルクの小さいモータでルーバ２０５〜２０８を駆動することができる。
【００６２】
さらに、軸部材２０５ｃ、２０６ｂ、２０７ｃ、２０８ｂをその外周部を介して連結機構１５８の軸受部１６３に接続させるようにした。そのため、軸部材２０５ｃ、２０６ｂ、２０７ｃ、２０８ｂと軸受部１６３との接触面積を大きくできるから、第５、第７ルーバ２０５、２０７の回転力を確実に第６、第８ルーバ２０６、２０８に伝達できるようになっている。
【００６３】
図１２は、上記第２の実施の形態に係る第５〜第８ルーバ２０５〜２０８の他の配置例を示す概略図である。この変形例では、同図に示すように、化粧パネル１００の第４隅部１０４にモータ１７０の代わりに上記連結機構１５８を配置し、この連結機構１５８によって第６ルーバ２０６と第７ルーバ２０７とを連結するとともに、第８ルーバ２０８の軸部材２０８ｃを第１隅部１０１に配置された支持リンク１６５で回動自在に支持したものである。
【００６４】
なお、図１１に示すように、ここで用いられる第５〜第８ルーバ２０５〜２０８は、上記第２の実施の形態と同様に、一方の軸部材２０５ｂ〜２０８ｂにだけモータ１７０の駆動軸１７０ａが挿入される駆動軸挿入穴２０５ｄを備えている。
【００６５】
上記変形例でも、第１の吹出口１２にどのルーバ２０５〜２０８を配置しても、ルーバ２０５〜２０８の同一端側の軸部材２０５ｂ〜２０８ｂ側には必ずモータ１７０が位置することになる。したがって、第５〜第８ルーバ２０５〜２０８を任意の吹出口１２１〜１２４に取り付けることができる。
【００６６】
なお、本発明は上記各実施の形態に限定されるものでなく、発明の要旨を逸脱しない範囲で種々変形実施可能であるのは勿論である。
【００６７】
【発明の効果】
この発明によれば、モータの配置に限定されることなく、ルーバを任意の吹出口に取り付けることができる。
【００６８】
また、モータの回動力を効率よくルーバに伝達することができる。
【００６９】
さらに、結露によってルーバ表面に付着した露がルーバをつたって室内に滴下するのを抑制することができる。
【００７０】
さらに、吹出口付近の壁や天井などに塵埃が付着するのを抑制することができる。
【図面の簡単な説明】
【図１】本発明の第１の実施の形態に係る天井埋込型の空気調和機の室内機を下面側から示す斜視図。
【図２】同室内機を室内機本体と化粧パネルとに分離して示す斜視図。
【図３】同室内機本体を分解して示す斜視図。
【図４】同室内機本体を示す縦断面図。
【図５】同化粧パネルを示す縦断面図。
【図６】同化粧パネルを分解して示す分解斜視図。
【図７】同化粧パネルに組み込まれたルーバ間の接続状態を示す平面図。
【図８】同化粧パネルに組み込まれた連結機構とルーバの要部を拡大して示す斜視図。
【図９】同モータとルーバの要部を拡大して示す斜視図。
【図１０】本発明の第２の実施の形態に係る第５〜第８ルーバの配置図。
【図１１】同第５〜第８ルーバの構成を示す概略図。
【図１２】同第５〜第８ルーバの他の配置例を示す概略図。
【符号の説明】
２０…室内機本体
２４…室内熱交換器（熱交換器）
１００…化粧パネル
１１０…吸込口
１２１〜１２４…吹出口
１５１ｂ〜１５４ｂ、１５１ｃ〜１５４ｃ、２０５ｂ〜２０８ｂ、２０５ｃ〜２０８ｃ…軸部材
１５１ｄ〜１５４ｄ、１５１ｅ〜１５４ｅ、２０５ｄ、２０７ｄ…駆動軸挿入穴（穴部）
１５１〜１５４…第１〜第４ルーバ
１５６…リブ（気流調整突起部）
１６３…軸受部
１７０ａ…駆動軸
２０５〜２０８…第５〜第８ルーバ
【図１】
2004077016.tif 000003
【図２】
2004077016.tif 000004
【図３】
2004077016.tif 000005
【図４】
2004077016.tif 000006
【図５】
2004077016.tif 000007
【図６】
2004077016.tif 000008
【図７】
2004077016.tif 000009
【図８】
2004077016.tif 000010
【図９】
2004077016.tif 000011
【図１０】
2004077016.tif 000012
【図１１】
2004077016.tif 000013
【図１２】
2004077016.tif 000014